(57)【要約】【課題】簡単な作業によりパイプの取り付け作業を行うことができ、しかも吊り下げ状態を維持する。【解決手段】天井９に固定されると共に天井９と対向する面に穴３６が形成された吊下基部３０と；吊下基部３０の穴３６に取り付けられ、筒状の側面の対向位置に一対のネジ穴４３、４４が形成され、パイプ１２を筒内に保持するスリーブ４０と；吊下基部３０及びスリーブ４０を覆い、パイプ１２が貫通する貫通孔５１とを備えるカバー５０と；貫通孔５１内に設けられ、スリーブ４０のネジ穴４３、４４に螺合されたネジ４１、４２が抜け落ちる前にネジ頭４１ｈ、４１ｈと当接する内径を有する内筒壁５３と；スリーブ４０のネジ穴４３、４４と対応するパイプ１２の側面位置に形成された穴５６に先端部４１ｆが挿入され、ネジ頭４１ｈと内筒壁５３が当接した状態において先端部４１ｆがパイプの側面位置に形成された穴５６に残る長さのネジ４１と；を具備する。【選択図】図４
2008245338.tif 000002
【特許請求の範囲】
【請求項１】
筒状の側面の対向位置に一対のネジ穴が形成され、下端部において吊下げ部材を保持するパイプを筒内に保持するスリーブと；
スリーブを覆うカバー面を有し、スリーブに保持されたパイプが貫通する貫通孔を備えるカバーと；
スリーブのネジ穴と対応するパイプの側面位置に形成された穴に先端部が挿入される第１のパイプ固定用ネジと；
貫通孔の周囲においてカバーの内側方向に向かって環状に延びるように設けられ、貫通孔の内径より大きな内径であって、第１のパイプ固定用ネジがスリーブのネジ穴及びパイプのネジ穴において正規に固定された状態では、スリーブ及び第１のパイプ固定用ネジを収納し、第１のパイプ固定用ネジが正規の固定状態から緩んだ状態において、第１のパイプ固定用ネジの先端部がパイプのネジ穴から外れないように第１のパイプ固定用ネジと当接する内径を有する内筒壁と；
を具備することを特徴とする吊下器具。
【請求項２】
第１のパイプ固定用ネジの先端部をスリーブのネジ穴に僅かに挿入させた状態において、下方から上方へパイプを軸としてカバーを摺動させた場合には、カバーにおける開口縁と開口縁が当接すべき面との間に隙間ができた状態において、第１のパイプ固定用ネジ頭部に内筒壁の上縁部が当接するように、内筒壁の上縁部とカバーにおける開口縁との距離が設定されていることを特徴とする請求項１に記載の吊下器具。
【請求項３】
スリーブのネジ穴に先端部が挿入され、パイプの側面位置に先端部が当接するかまたはスリーブのネジ穴と対応するパイプの側面位置に形成された穴に先端部が挿入される第２のパイプ固定用ネジを備え；
第１のパイプ固定用ネジのネジ径が、第２のパイプ固定用ネジのネジ径よりも小径とされ、
第１のパイプ固定用ネジの先端部が挿入されるネジ穴のネジ径が、第２のパイプ固定用ネジの先端部が挿入されるネジ穴のネジ径よりも小径とされていることを特徴とする請求項１または２に記載の吊下器具。
【発明の詳細な説明】
【技術分野】
【０００１】
この発明は、下端部において電源供給用レールを保持するパイプを吊り下げる場合に用いる吊下器具に関するものである。
【背景技術】
【０００２】
特許文献１には、従来の吊下器具が示されている。この特許文献１では、天井部分にはカバーが設けられ、内部は示されていないが、吊り金具をパイプに取り付けているダブルナットによる取り付け手法が採用されている。
【０００３】
即ち、図６に示すように、カバー１００内には、円板状の取付面９１の周縁部から床方向へ延びるアーム部９２を備える基部９０と、保持板８０とが備えられ、ナット７１、７２によりパイプ７０が保持され吊り下げられる。アーム部９２の側部には穴９３、９３が穿設されており、この穴９３、９３に保持板８０のフック部８１、８１が挿入されている。保持板８０は、平面部８２にパイプ７０が貫通する貫通孔８３を有している。
【０００４】
パイプ７０の上端部の側周面にはネジ７３が形成されている。ネジ７３にナット７１を螺合して、パイプ７０の先端を保持板８０の貫通孔８３の下からのから天井側に突出させて、ネジ７３にナット７２を螺合させてパイプ７０を保持させる。
【０００５】
ところで、天井面からレールまでの距離は、施設によって様々であり、パイプ７０の長さをこれに合わせる必要がある。そこで従来においては現場に赴き、パイプ７０を天井面からレールまでの距離に合わせて切断し、ねじ切りによりネジ７３を形成する必要があり、作業性が悪いという問題があった。パイプ７０の一端側に予めネジを形成しておくことはできても、他端側は切断されることが多いため、予めネジを形成しても無駄となっていた。
【特許文献１】特開平１１−９８６４４号公報（図５〜図７）
【発明の開示】
【発明が解決しようとする課題】
【０００６】
本発明は、以上のような配線ダクトにおける工事作業の現状に鑑みてなされたもので、その目的は、パイプを切断した後にねじ切りでネジを形成する必要がなく、簡単な作業によりパイプの取り付け作業を行うことができ、しかも吊り下げ状態を維持することが可能な吊下器具を提供することである。
【課題を解決するための手段】
【０００７】
本発明に係る吊下器具は、筒状の側面の対向位置に一対のネジ穴が形成され、下端部において吊下げ部材を保持するパイプを筒内に保持するスリーブと；スリーブを覆うカバー面を有し、スリーブに保持されたパイプが貫通する貫通孔を備えるカバーと；スリーブのネジ穴と対応するパイプの側面位置に形成された穴に先端部が挿入される第１のパイプ固定用ネジと；貫通孔の周囲においてカバーの内側方向に向かって環状に延びるように設けられ、貫通孔の内径より大きな内径であって、第１のパイプ固定用ネジがスリーブのネジ穴及びパイプのネジ穴において正規に固定された状態では、スリーブ及び第１のパイプ固定用ネジを収納し、第１のパイプ固定用ネジが正規の固定状態から緩んだ状態において、第１のパイプ固定用ネジの先端部がパイプのネジ穴から外れないように第１のパイプ固定用ネジと当接する内径を有する内筒壁と；を具備することを特徴とする。
【０００８】
吊下器具は例えば天井へ固定され、天井への固定はネジなどにより行われる。スリーブは、鉄やアルミ或いはニッケルまたはこれらを含む合金などにより作成され、カバーは合成樹脂により作成される。
【０００９】
本発明に係る吊下器具では、第１のパイプ固定用ネジの先端部をスリーブのネジ穴に僅かに挿入させた状態において、下方から上方へパイプを軸としてカバーを摺動させた場合には、カバーにおける開口縁と開口縁が当接すべき面との間に隙間ができた状態において、第１のパイプ固定用ネジ頭部に内筒壁の上縁部が当接するように、内筒壁の上縁部とカバーにおける開口縁との距離が設定されていることを特徴とする。
【００１０】
本発明に係る吊下器具は、スリーブのネジ穴に先端部が挿入され、パイプの側面位置に先端部が当接するかまたはスリーブのネジ穴と対応するパイプの側面位置に形成された穴に先端部が挿入される第２のパイプ固定用ネジを備え；第１のパイプ固定用ネジのネジ径が、第２のパイプ固定用ネジのネジ径よりも小径とされ、第１のパイプ固定用ネジの先端部が挿入されるネジ穴のネジ径が、第２のパイプ固定用ネジの先端部が挿入されるネジ穴のネジ径よりも小径とされていることを特徴とする。
【発明の効果】
【００１１】
本発明に係る吊下器具は、ネジ穴が形成された筒状のスリーブにより保持するパイプを筒内に保持する構造であるからねじ切りの作業が不要であり作業効率を向上させることができる。また、第１のパイプ固定用ネジが抜け落ちる前にネジ頭部と内筒壁とが当接し、この状態のときに第１のパイプ固定用ネジの先端部がパイプの側面位置に形成された穴に残る構成を備えているので、作業後に第１のパイプ固定用ネジが緩んでネジ穴から脱落することがなく、しかもパイプにネジが保持された状態が継続される。
【００１２】
本発明に係る吊下器具は、第１のパイプ固定用ネジの先端部をスリーブのネジ穴に僅かに挿入させた状態において、下方から上方へパイプを軸としてカバーを摺動させた場合には、カバーにおける開口縁と開口縁が当接すべき面との間に隙間ができた状態において、第１のパイプ固定用ネジ頭部に内筒壁の上縁部が当接するように、内筒壁の上縁部とカバーにおける開口縁との距離が設定されているので、パイプを吊り下げる作業においてネジ締めが不完全であると上記の通り間隙が生じて不適切な作業の進行を知ることができ、作業の完全化を図ることが可能となる。
【００１３】
本発明に係る吊下器具は、スリーブのネジ穴に先端部が挿入され、パイプの側面位置に先端部が当接するかまたはスリーブのネジ穴と対応するパイプの側面位置に形成された穴に先端部が挿入される第２のパイプ固定用ネジを備え；第１のパイプ固定用ネジのネジ径が、第２のパイプ固定用ネジのネジ径よりも小径とされ、第１のパイプ固定用ネジの先端部が挿入されるネジ穴のネジ径が、第２のパイプ固定用ネジの先端部が挿入されるネジ穴のネジ径よりも小径とされているので、第１のパイプ固定用ネジと第２のパイプ固定用ネジを挿入するねじ穴を間違えることがなく、ネジの長さが短い第２のパイプ固定用ネジの先端部がパイプの穴まで届かずに、パイプが落下するなどの不具合を防止することができる。
【発明を実施するための最良の形態】
【００１４】
＜実施例１＞
以下添付図面を参照して、本発明に係る吊下器具の実施例を説明する。各図において同一の構成要素には同一の符号を付して、重複する説明を省略する。図１に実施例に係る吊下器具を用いて構成した照明システムの構成図が示されている。天井９からカバー５０を含む吊下器具１０により、パイプ１２が吊り下げられている。パイプ１２の下端部には、ハンガー１３が取り付けられ、ハンガー１３内部には、断面が図２のようなレール１４が把持され、固定ネジ１５により固定される。ハンガー１３はナット１６、１７によりパイプに固定される。
【００１５】
レール１４の内側には、電極１８、１９が突出し、照明器具２１の光源に接続された電線につながるコンタクトが上記電極１８、１９と接触する。コンタクトはレール１４内において電極１８、１９の上部の空間を、レール１４の長手方向に摺動可能であり、係る構成により照明器具２１を移動することができる。
【００１６】
吊下器具１０の構成を図３〜図５に示す。吊下器具１０は、カバー５０と、吊下基部３０と、スリーブ４０、ネジ４１、４２により構成される。吊下基部３０は、円板状の取付面３１と、取付面３１の周縁部から床方向へ延びるアーム部３２を備える。吊下基部３０は、保持板３４を備える。保持板３４は、天井９から遠い中央部に平面部３５を有し、この平面部３５に穴３６を有している。保持板３４は、平面部３５の両端から概ね４５度の角度で立ち上がっており、更に、その延長部分がアーム部３２に沿って平行に形成され、最先端部が折り曲げられたフック部３７とされている。
【００１７】
アーム部３２の側部には穴３２ａが穿設されており、この穴３２ａに、保持板３４のフック部３７、３７が挿入されている。一方のフック部３７の近傍には固定ネジ１５が挿入される穴３８が形成されている。この穴３８に対応してアーム部３２にはネジ穴３９が形成され、固定ネジ１５によって保持板３４と吊下基部３０とが結合される。平面部３５の穴３６には、筒状のスリーブ４０が固着されている。スリーブ４０における側周面の対向位置には、一対のネジ穴４３、４４が形成されている。
【００１８】
カバー５０は、カップ形状であり、吊下基部３０とスリーブ４０を覆うカバー部５０ａを備えると共に、カップの底部となる部分にパイプ１２が貫通する貫通孔５１が形成されている。この貫通孔５１の内側には、円筒状の内筒壁５３がカバー５０に一体に設けられている。この内筒壁５３の内径は、スリーブ４０のネジ穴４３、４４に螺合されたネジ４１、４２が抜け落ちる前にネジ頭部であるネジ頭４１ｈ、４２ｈと当接する長さとなっている。ネジ４１は、ネジ頭４１ｈと内筒壁５３が当接した状態において先端部４１ｆがパイプ１２の側面位置に形成された穴５６に残る長さを有している。
【００１９】
また、図４に示すように、ネジ４１、４２をネジ穴に僅かに螺合させたネジ締め忘れの状態において、下方から上方へパイプ１２を軸としてカバー５０を摺動させた場合には、カバー５０における天井９との当接縁５７と、天井９との間に隙間ｇが生じる状態において、ネジ頭４１ｈ、４２ｈに内筒壁５３の上縁部５８が当接するように、内筒壁５３の上縁部５８とカバー５０における天井９との当接縁５７との距離Ｌが設定されている。
【００２０】
以上の通りに構成される吊下器具は、次のようにして使用される。パイプ１２を施設に必要な長さに切断し、切断面から所定の距離の周面から中心に向けてネジ４１を貫通させる穴５６を穿設する。カバー固定具とカバー５０に対し、カバー５０が上側に位置するようにしてパイプ１２を挿入する。
【００２１】
次に、切断部分が上側となったパイプ１２を、天井９に吊下基部３０が固定された状態のスリーブ４０内へ挿入し、パイプ１２に形成された穴５６とスリーブ４０のネジ穴４３とを位置合わせし、ネジ４１をネジ穴４３に螺合する。ネジ４１の先端部４１ｆは穴５６を通過してパイプ１２の中空部に到り、パイプ１２を吊り下げた状態で保持する。ネジ４２をネジ穴４４に螺合してネジ４２の先端部４２ｆでパイプ１２の側壁を押圧し、パイプ１２を固定する。
【００２２】
上記状態で、下方から上方へパイプ１２を軸としてカバー５０を摺動させた場合には、ネジ４１のネジ頭４１ｈとネジ４２のネジ頭４２ｈは、内筒壁５３の内側に存在するように収まり、カバー５０における当接縁５７と天井９とが当接する（図３）。係る正規施工状態において、下方から上方へパイプ１２を軸としてカバー固定具を摺動させて、カバー５０の下側でカバー５０を固定する。
【００２３】
以上の施工作業の過程において、ネジ４１、４２の締め付けを忘れると、下方から上方へパイプ１２を軸としてカバー５０を摺動させた場合には、ネジ頭４１ｈ、４２ｈに内筒壁５３の上縁部５８が当接し、カバー５０における当接縁５７と天井９とが当接する前に停止し、隙間ｇが生じる（図４）。
【００２４】
また、図３の正規施工状態から振動などを原因としてネジ４１、４２が緩むことがある。係る場合には、図５に示されるように、スリーブ４０のネジ穴４３、４４に螺合されたネジ４１、４２が抜け落ちる前にネジ頭部であるネジ頭４１ｈ、４２ｈと内筒壁５３の内面が当接するため、ネジ４１、４２が抜け落ちることはない。しかも、ネジ４１は、その長さのために、ネジ頭４１ｈと内筒壁５３の内面が当接した状態において先端部４１ｆがパイプ１２の側面位置に形成された穴５６に残るので、ネジ４１の先端部４１ｆは穴５６を通過してパイプ１２の中空部にあり、パイプ１２を吊り下げた状態で保持し続ける。このため、ネジ４１、４２の緩みによりパイプ１２が吊下器具１０から脱落する事態を防止することができる。
【００２５】
＜実施例２＞
本実施例では、第１のパイプ固定用ネジであるネジ４１のネジ径が、第２のパイプ固定用ネジであるネジ４２のネジ径よりも小径とされ、かつ、ネジ４１の先端部が挿入されるネジ穴４３のネジ径が、ネジ４２の先端部が挿入されるネジ穴４４のネジ径よりも小径とされている。
【００２６】
ネジ４１は、ネジ頭４１ｈと内筒壁５３が当接した状態において先端部４１ｆがパイプ１２の側面位置に形成された穴５６に残る長さを有しており、ネジ４２の長さより長く構成されている。ネジ４２の長さを長くし、ネジ頭４２ｈと内筒壁５３が当接した状態において先端部４２ｆがパイプ１２の側面位置に形成された穴５６と対向する穴に残る長さとすることも可能である。しかし、この場合には、ネジ４２の先端部４２ｆが挿入される穴をパイプ１２に形成する必要があり、現場での作業工数が多くなる。そこで、ネジ４１のネジ長をネジ４２のネジ長より長くしている。上記実施例でも十分な強度が得られる。
【００２７】
しかしながら、第１の実施例において、ネジ４１のネジ径とネジ４２のネジ径とを同じにすると、ネジ４２をネジ穴４３に挿入し、ネジ４１をネジ穴４４に挿入してしまうと、ネジ４２の先端部４２ｆがパイプ１２に形成された穴５６まで届かず、あるいは僅かに届いた状態で施工がなされる。係る場合には、パイプが落下する可能性があり、好ましくない。ネジ４１とネジ４２は、それぞれ多数本用意されるであろうから、特に、ネジ４２が２本用いられて施工がなされると全く気が付かない場合も予想される。
【００２８】
そこで、上記の通り、ネジ４１とそのネジ穴４３とを細径として、ネジ４２が入らないようにして誤った作業を防止し、施工後の安全を確保したものである。
【図面の簡単な説明】
【００２９】
【図１】本発明の実施例に係る吊下器具を用いて構成した照明システムの構成図。
【図２】本発明の実施例に係る吊下器具を用いて構成した照明システムに使用されているレール部分の断面図。
【図３】本発明の実施例に係る吊下器具による正規施工状態を示す断面図。
【図４】本発明の実施例に係る吊下器具によるネジ締め忘れ状態を示す断面図。
【図５】本発明の実施例に係る吊下器具によるネジ緩み状態を示す断面図。
【図６】従来例に係る吊下器具による施工状態を示す断面図。
【符号の説明】
【００３０】
９  天井
１０  吊下器具
１２  パイプ
１３  ハンガー
１４  レール
２１  照明器具
３０  吊下基部
３４  保持板
３７  フック部
４０  スリーブ
４１  ネジ
４１ｆ  先端部
４１ｈ  ネジ頭
４２  ネジ
４２ｆ  先端部
４２ｈ  ネジ頭
４３  ネジ穴
４４  ネジ穴
５０  カバー
５１  貫通孔
５７  当接縁
５８  上縁部
【図１】
2008245338.tif 000003
【図２】
2008245338.tif 000004
【図３】
2008245338.tif 000005
【図４】
2008245338.tif 000006
【図５】
2008245338.tif 000007
【図６】
2008245338.tif 000008